(57)【特許請求の範囲】
【請求項１】
広告表示領域を含む表示データをネットワークを介して端末装置へ提供する情報提供装置であって、
前記情報提供装置により広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てる領域割当手段と、
前記一つの商取引対象を提供する複数の提供者それぞれに対応付けて、該複数の提供者それぞれに割り当てられた前記広告表示領域に含まれる部分領域を特定するための部分領域特定情報を記憶する部分領域情報記憶手段と、
画像により構成される前記広告コンテンツが表示される一つの前記広告表示領域を含む表示データを前記端末装置に送信する送信手段と、
前記広告表示領域において閲覧者により指定された位置を示す位置情報を前記端末装置から取得する位置情報取得手段と、
前記取得された位置情報に対応する前記部分領域を特定する部分領域特定手段と、
前記部分領域特定手段により特定された部分領域に対応する部分領域特定情報に基づいて前記提供者を特定し、該特定された提供者に対応する情報の前記端末装置への送信制御を行う制御手段と、
を備えることを特徴とする情報提供装置。
【請求項２】
請求項１に記載の情報提供装置において、
前記部分領域の指定回数を前記部分領域毎に記憶する指定回数記憶手段を備え、
前記領域割当手段は、前記指定回数記憶手段に記憶されている部分領域毎の指定回数を比較し、前記指定回数が相対的に多い部分領域に前記利用料金が相対的に大きい前記提供者を割当てることを特徴とする情報提供装置。
【請求項３】
請求項１に記載の情報提供装置において、
前記部分領域の指定回数を前記部分領域毎に記憶する指定回数記憶手段と、
前記指定回数が閾値を超えた部分領域に割当てられた提供者を変更する割当変更手段と、
を備えることを特徴とする情報提供装置。
【請求項４】
請求項１乃至３の何れか一項に記載の情報提供装置において、
各前記部分領域は、複数ピクセル単位からなるドット領域の集合からなり、
各前記ドット領域は、前記広告表示領域内に散りばめられており、且つ、各前記ドット領域は、何れかの前記部分領域に属し、
少なくとも２つの前記部分領域に属する前記ドット領域の配分率が当該２つの前記部分領域間毎に異なることを特徴とする情報提供装置。
【請求項５】
広告表示領域を含む表示データをネットワークを介して端末装置へ提供するコンピュータにより実行される情報提供方法であって、
前記情報提供装置により広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てるステップと、
前記一つの商取引対象を提供する複数の提供者それぞれに対応付けて、該複数の提供者それぞれに割り当てられた前記広告表示領域に含まれる部分領域を特定するための部分領域特定情報を記憶するステップと、
画像により構成される前記広告コンテンツが表示される一つの前記広告表示領域を含む表示データを前記端末装置に送信するステップと、
前記広告表示領域において閲覧者により指定された位置を示す位置情報を前記端末装置から取得するステップと、
前記取得された位置情報に対応する前記部分領域を特定するステップと、
前記特定された部分領域に対応する部分領域特定情報に基づいて前記提供者を特定し、該特定された提供者に対応する情報の前記端末装置への送信制御を行うステップと、
を含むことを特徴とする情報提供方法。
【請求項６】
広告表示領域を含む表示データをネットワークを介して端末装置へ提供するコンピュータを、
前記コンピュータにより広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てる領域割当手段と、
前記一つの商取引対象を提供する複数の提供者それぞれに対応付けて、該複数の提供者それぞれに割り当てられた前記広告表示領域に含まれる部分領域を特定するための部分領域特定情報を記憶する部分領域情報記憶手段と、
画像により構成される前記広告コンテンツが表示される一つの前記広告表示領域を含む表示データを前記端末装置に送信する送信手段と、
前記広告表示領域において閲覧者により指定された位置を示す位置情報を前記端末装置から取得する位置情報取得手段と、
前記取得された位置情報に対応する前記部分領域を特定する部分領域特定手段と、
前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラム。
【請求項７】
広告表示領域を含む表示データをネットワークを介して端末装置へ提供するコンピュータを、
前記コンピュータにより広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てる領域割当手段と、
前記一つの商取引対象を提供する複数の提供者それぞれに対応付けて、該複数の提供者それぞれに割り当てられた前記広告表示領域に含まれる部分領域を特定するための部分領域特定情報を記憶する部分領域情報記憶手段と、
画像により構成される前記広告コンテンツが表示される一つの前記広告表示領域を含む表示データを前記端末装置に送信する送信手段と、
前記広告表示領域において閲覧者により指定された位置を示す位置情報を前記端末装置から取得する位置情報取得手段と、
前記取得された位置情報に対応する前記部分領域を特定する部分領域特定手段と、
前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラムが記録された記録媒体。
【発明の詳細な説明】
【技術分野】
【０００１】
広告表示領域を含むＷｅｂページをネットワークを介して端末装置へ提供する情報提供装置等の技術分野に関する。
【背景技術】
【０００２】
従来から、パーソナルコンピュータ等の端末装置を用いてインターネット等のネットワークに接続し、Ｗｅｂサーバ等から提供されるＷｅｂページ等を通じて、例えば、商品の購入やサービスの利用予約等の商取引を行うことを可能とする商取引システムが知られている。このような商取引システムにおいて、所定のＷｅｂページ上に、所謂、バナー広告を表示（掲載）することがよく行われている。商品の販売者等の広告主は、バナー広告に張られたリンクにより、自身の商品を販売するためのＷｅｂページに閲覧者を誘導することができる。
【０００３】
ところで、例えば人気のあるＷｅｂページに表示されるバナー広告は広告効果が高いことから、そのようなＷｅｂページへのバナー広告の表示を希望する広告主は多い。しかしながら、Ｗｅｂページにバナー広告を表示するための広告表示領域は限られるため、当該広告表示領域を利用できる広告主も限られてくる。
【０００４】
一方、近年、あるＷｅｂページ上で同一の広告表示領域に表示されるバナー広告が所定時間毎に切り換えられる技術が知られている。このような技術によれば、一つの広告表示領域に、より多くの広告主に対応するバナー広告を表示することができる。また、特許文献１には、クライアント端末から管理サーバに広告データを送るだけで、既に掲載されている広告の内容が自動的に変更できるようにした技術が開示されている。
【先行技術文献】
【特許文献】
【０００５】
【特許文献１】特開２００２−１０９３５７号公報
【発明の概要】
【発明が解決しようとする課題】
【０００６】
しかしながら、一つの広告表示領域を共用する各販売者（広告主）の各バナー広告が所定時間毎に切り換えられる場合、各バナー広告の露出時間（表示時間）が制限されてしまい当該バナー広告が閲覧者によって認識される機会が低下する。そのため、閲覧者により、リンクが指定（例えばクリック）されないバナー広告が出てくるという問題がある。
【０００７】
本発明は、以上の点等に鑑みてなされたものであり、一つの広告表示領域を複数の広告主で共用する場合であっても、各広告主のバナー広告等が指定される確率を高め、各広告主に対応する情報を効率良く表示させることが可能な情報提供装置、情報提供方法、情報提供プログラム、及び情報提供プログラムが記録された記録媒体を提供することを目的とする。
【課題を解決するための手段】
【０００８】
上記課題を解決するために、請求項１に記載の発明は、広告表示領域を含む表示データをネットワークを介して端末装置へ提供する情報提供装置であって、前記情報提供装置により広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てる領域割当手段と、前記一つの商取引対象を提供する複数の提供者それぞれに対応付けて、該複数の提供者それぞれに割り当てられた前記広告表示領域に含まれる部分領域を特定するための部分領域特定情報を記憶する部分領域情報記憶手段と、画像により構成される前記広告コンテンツが表示される一つの前記広告表示領域を含む表示データを前記端末装置に送信する送信手段と、前記広告表示領域において閲覧者により指定された位置を示す位置情報を前記端末装置から取得する位置情報取得手段と、前記取得された位置情報に対応する前記部分領域を特定する部分領域特定手段と、前記部分領域特定手段により特定された部分領域に対応する部分領域特定情報に基づいて前記提供者を特定し、該特定された提供者に対応する情報の前記端末装置への送信制御を行う制御手段と、を備えることを特徴とする。
【０００９】
この発明によれば、端末装置の広告表示領域において指定された位置を含む部分領域を特定し、該部分領域に対応する部分領域特定情報に基づいて前記提供者を特定し、該特定された提供者に対応する情報が端末装置へ送信されるように構成したので、一つの広告表示領域を複数の上記提供者（広告主）で共用する場合であっても、各提供者に割当てられた部分領域が指定される確率を高め、各提供者に対応する情報を効率良く表示させることができる。
【００１１】
この発明によれば、提供者が支払う利用料金に見合った部分領域を当該提供者に割当てることができる。
【００１２】
請求項２に記載の発明は、請求項１に記載の情報提供装置において、前記部分領域の指定回数を前記部分領域毎に記憶する指定回数記憶手段を備え、前記領域割当手段は、前記指定回数記憶手段に記憶されている部分領域毎の指定回数を比較し、前記指定回数が相対的に多い部分領域に前記利用料金が相対的に大きい前記提供者を割当てることを特徴とする。
【００１３】
この発明によれば、利用料金の入札額が大きい提供者に対応する情報を、より多くの閲覧者に閲覧させることができる。
【００１６】
請求項３に記載の発明は、請求項１に記載の情報提供装置において、前記部分領域の指定回数を前記部分領域毎に記憶する指定回数記憶手段と、前記指定回数が閾値を超えた部分領域に割当てられた提供者を変更する割当変更手段と、を備えることを特徴とする。
【００１７】
この発明によれば、閾値を超えた部分領域以外の部分領域に割当てられていた提供者に対応する情報についても表示され易くすることができる。請求項４に記載の発明は、請求項１乃至３の何れか一項に記載の情報提供装置において、各前記部分領域は、複数ピクセル単位からなるドット領域の集合からなり、各前記ドット領域は、前記広告表示領域内に散りばめられており、且つ、各前記ドット領域は、何れかの前記部分領域に属し、少なくとも２つの前記部分領域に属する前記ドット領域の配分率が当該２つの前記部分領域間毎に異なることを特徴とする。
【００１８】
請求項５に記載の発明は、広告表示領域を含む表示データをネットワークを介して端末装置へ提供するコンピュータにより実行される情報提供方法であって、前記情報提供装置により広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てるステップと、前記一つの商取引対象を提供する複数の提供者それぞれに対応付けて、該複数の提供者それぞれに割り当てられた前記広告表示領域に含まれる部分領域を特定するための部分領域特定情報を記憶するステップと、画像により構成される前記広告コンテンツが表示される一つの前記広告表示領域を含む表示データを前記端末装置に送信するステップと、前記広告表示領域において閲覧者により指定された位置を示す位置情報を前記端末装置から取得するステップと、前記取得された位置情報に対応する前記部分領域を特定するステップと、前記特定された部分領域に対応する部分領域特定情報に基づいて前記提供者を特定し、該特定された提供者に対応する情報の前記端末装置への送信制御を行うステップと、を含むことを特徴とする。
【００１９】
請求項６に記載の発明は、広告表示領域を含む表示データをネットワークを介して端末装置へ提供するコンピュータを、前記コンピュータにより広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てる領域割当手段と、前記一つの商取引対象を提供する複数の提供者それぞれに対応付けて、該複数の提供者それぞれに割り当てられた前記広告表示領域に含まれる部分領域を特定するための部分領域特定情報を記憶する部分領域情報記憶手段と、画像により構成される前記広告コンテンツが表示される一つの前記広告表示領域を含む表示データを前記端末装置に送信する送信手段と、前記広告表示領域において閲覧者により指定された位置を示す位置情報を前記端末装置から取得する位置情報取得手段と、前記取得された位置情報に対応する前記部分領域を特定する部分領域特定手段と、前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラムである。
【００２０】
請求項７に記載の発明は、広告表示領域を含む表示データをネットワークを介して端末装置へ提供するコンピュータを、前記コンピュータにより広告表示対象として一つの商取引対象が決定された後、当該決定された一つの商取引対象を提供する複数の提供者が前記広告表示領域の一部を利用するために該複数の提供者それぞれが支払う利用料金に基づいて、前記一つの商取引対象の広告コンテンツが表示される一つの前記広告表示領域に含まれる部分領域を該複数の提供者それぞれに割当てる領域割当手段と、前記一つの商取引対象を提供する複数の提供者それぞれに対応付けて、該複数の提供者それぞれに割り当てられた前記広告表示領域に含まれる部分領域を特定するための部分領域特定情報を記憶する部分領域情報記憶手段と、画像により構成される前記広告コンテンツが表示される一つの前記広告表示領域を含む表示データを前記端末装置に送信する送信手段と、前記広告表示領域において閲覧者により指定された位置を示す位置情報を前記端末装置から取得する位置情報取得手段と、前記取得された位置情報に対応する前記部分領域を特定する部分領域特定手段と、前記部分領域特定手段により特定された部分領域に対応する部分領域特定情報に基づいて前記提供者を特定し、該特定された提供者に対応する情報の前記端末装置への送信制御を行う制御手段として機能させることを特徴とする情報提供プログラムが記録された記録媒体である。
【発明の効果】
【００２１】
本発明によれば、端末装置の広告表示領域において指定された位置を含む部分領域を特定し、該部分領域に対応する部分領域特定情報に基づいて前記提供者を特定し、該特定された提供者に対応する情報が端末装置へ送信されるように構成したので、一つの広告表示領域を複数の上記提供者（広告主）で共用する場合であっても、各提供者に割当てられた部分領域が指定される確率を高め、各提供者に対応する情報を効率良く表示させることができる。
【図面の簡単な説明】
【００２２】
【図１】本実施形態に係る情報提供システムＳの概要構成の一例を示す図である。
【図２】本実施形態に係る情報提供サーバ３の概要構成例を示すブロック図である。
【図３】各データベースに登録される情報の構成例を示す図である。
【図４】投稿情報データベース３２３に登録された情報の一例を示す図である。
【図５】ある広告表示領域に含まれる部分領域の一例を示す図である。
【図６】情報提供サーバ３のシステム制御部３３における広告コンテンツの設定処理を示すフローチャートである。
【図７】スコア算出要素から変換ポイントへの変換テーブルの一例を示す図である。
【図８】情報提供サーバ３のシステム制御部３３における情報提供処理を示すフローチャートである。
【発明を実施するための形態】
【００２３】
以下、図面を参照して本発明の実施形態について説明する。なお、以下に説明する実施の形態は、情報提供システムに対して本発明を適用した場合の実施形態である。
【００２４】
［１．情報提供システムの構成及び機能概要］
先ず、本発明の一実施形態に係る情報提供システムＳの構成及び概要機能について、図１を用いて説明する。
【００２５】
図１は、本実施形態に係る情報提供システムＳの概要構成の一例を示す図である。
【００２６】
図１に示すように、情報提供システムＳは、複数のユーザ端末１−ｊ（ｊ＝１，２・・・ｍ）と、複数のＷｅｂサイト２−ｋ（ｋ＝１，２・・・ｎ）と、情報提供サーバ３（情報提供装置の一例）と、を含んで構成されている。
【００２７】
ユーザ端末１−ｊ、Ｗｅｂサイト２−ｋ、及び情報提供サーバ３は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２８】
ユーザ端末１−ｊは、Ｗｅｂブラウザ機能を有しており、Ｗｅｂブラウザにより、Ｗｅｂサイト２−ｋや情報提供サーバ３にアクセスしてＷｅｂページ（表示画面を構成する表示データの一例）を取得し、該Ｗｅｂページをディスプレイ上に表れたウインドウ画面内に表示するようになっている。なお、ユーザ端末１−ｊとしては、例えば、パーソナルコンピュータ（ＰＣ）、携帯電話機、携帯情報端末 (ＰＤＡ：Personal Digital Assistant)、携帯電話と携帯情報端末を融合させた携帯端末（Smartphone）、又は携帯ゲーム機等が適用可能である。なお、ユーザ端末１−ｊのユーザからの操作指示を受け付けるための操作部としては、キーボード、マウス、リモコン、タッチパネルインターフェース等の何れであっても良い。
【００２９】
Ｗｅｂサイト２−ｋは、Ｗｅｂサーバ、アプリサーバ、及びデータベースサーバ等から構成されている。かかるＷｅｂサイト２−ｋは、ユーザ端末１−ｊのウインドウ画面に表示されるＷｅｂページと共に、該Ｗｅｂページを通じてユーザ（投稿者）により投稿（Ｗｅｂページ上で入力又は選択）された投稿情報を登録するサイトである。このようなＷｅｂサイト２−ｋとしては、ブログサイト、ＳＮＳ（Social Networking Service）サイト（コミュニティサイト）、ミニブログサイト（ツイッター（ＴＷＩＴＴＥＲ（登録商標））サイト）、レビューサイト、クチコミサイト、商品販売サイト（ショッピングサイト）、旅行予約サイト、宿泊予約サイト、施設利用予約サイト等が一例として挙げられる（各サイトのＵＲＬ（Uniform Resource Locator）は互いに異なる）。
【００３０】
ここで、投稿情報の一例としては、商取引対象物に対する記事、コメント、ひとこと、つぶやき（Tweet）、クチコミ、レビュー、評価（点数）等の情報が挙げられる。商取引対象物とは、商品やサービス（旅行、宿泊、美容、遊戯施設等のサービス）等の商取引の対象となるものをいう。なお、以下の説明においては、主として、商品を例にとって説明する。
【００３１】
投稿情報の一例としての記事、コメント、ひとこと、つぶやき、クチコミ、及びレビューは、例えば、ユーザが操作キーを操作することにより入力された文字列であることが一般的であり、画像を伴う場合もある。また、評価は、例えば複数（例えば、５）段階に分けられた点数の中からユーザがマウスを操作（又は、タッチパネル上でタップ操作）することにより選択された点数であることが一般的である。また、投稿情報がレビューサイト、クチコミサイト、又は商品販売サイト等に登録されたクチコミやレビューの場合、当該投稿情報には、他のユーザによる当該クチコミやレビューの閲覧数等の情報が含まれる。また、投稿情報がブログサイトに登録された記事の場合、当該投稿情報には、他のユーザによる当該記事の閲覧数、他のユーザによる当該記事への返信（他のユーザによりコメントされた）数、他のユーザによる当該記事への被リンク（リンクされた）数（公知のリファラにより判定される）、他のユーザによる当該記事への被トラックバック（トラックバックされた）数等の情報が含まれる。また、投稿情報がミニブログサイトに登録されたつぶやきの場合、当該投稿情報には、他のユーザによる当該つぶやきの閲覧数、当該つぶやきのフォロワー数、当該つぶやきのリツイート数、他のユーザによる当該つぶやきへの被リンク数等の情報が含まれる。なお、フォロワー数とは、他のユーザ（フォロワー）からフォロー（当該つぶやきがフォロワーへ自動発信）されている数をいう。また、リツイート数とは、他のユーザにより当該つぶやきが引用されて投稿されている数をいう。なお、投稿情報には、多数のユーザに配信されるメールマガジン等からの送客数（クエリストリング等により送客元のユーザが判定される）が含まれても良い。以上の投稿情報は、情報提供サーバ３により取得される。
【００３２】
次に、情報提供サーバ３は、例えば、Ｗｅｂサーバ、アプリサーバ、及びデータベースサーバ等の機能を有する１又は複数のサーバコンピュータからなり、情報提供サイトを構成する。この情報提供サイトは、ブログサイト、ＳＮＳサイト、ミニブログサイト、レビューサイト、クチコミサイト、商品販売サイト（ショッピングサイト）、旅行予約サイト、宿泊予約サイト、施設利用予約サイト等の何れであっても良い。また、この情報提供サイトは、例えば、上記Ｗｅｂサイト２−ｋのうちのＷｅｂサイト２−１中に含まれるものであっても良いし、Ｗｅｂサイト２−１と連携する（例えば、同一事業者により運営される）ものであっても良い。
【００３３】
図２は、本実施形態に係る情報提供サーバ３の概要構成例を示すブロック図である。
【００３４】
図２に示すように、情報提供サーバ３は、通信部３１、記憶部３２、及びシステム制御部３３等を備える。
【００３５】
通信部３１は、ネットワークＮＷに接続して、ユーザ端末１−ｊやＷｅｂサイト２−ｋとの間の通信状態を制御する。
【００３６】
記憶部３２は、例えばハードディスクドライブ等により構成されており、オペレーティングシステム、及びアプリケーションプログラム（本発明の情報提供プログラム等を含む）を記憶する。なお、本発明の情報提供プログラムは、例えば、他のサーバからネットワークＮＷを介してダウンロードされるようにしても良いし、ＣＤ−ＲＯＭ等の記録媒体に記録されてドライブを介して読み込まれるようにしても良い。
【００３７】
また、記憶部３２には、種々のコンテンツを表示するためのＷｅｂページ（広告表示領域を含む表示データの一例）を構成する構造化文書（例えば、ＨＴＭＬ（Hyper Text Markup Language）文書やＸＨＴＭＬ文書等）ファイル、及び画像ファイル等が記憶されている。Ｗｅｂページに配置される各コンテンツは、例えば、テキスト、静止画像、及び動画像の少なくとも何れか一つから構成される。また、コンテンツには、ユーザが所望する本来のコンテンツ（例えば、ネット市場における検索結果を含むコンテンツ）や、バナー等の広告用のコンテンツ（以下、「広告コンテンツ」という）など様々なコンテンツがある。Ｗｅｂページにおける各コンテンツのサイズ及び配置位置等は、上記構造化文書内に定義される。
【００３８】
そして、本実施形態では、後述するように、広告コンテンツとして広告表示対象となる商品は、上述した投稿情報に基づいて動的に決定される。また、このような広告コンテンツを表示するＷｅｂページの広告表示領域には、情報提供サイトへのリンク情報が設定される。
【００３９】
また、記憶部３２には、店舗情報データベース（ＤＢ）３２１、及び投稿情報データベース（ＤＢ）３２２、部分領域情報データベース３２３（部分領域情報記憶手段の一例）、及び利用希望店舗情報データベース３２４等が構築されている。
【００４０】
図３は、各データベースに登録される情報の構成例を示す図である。
【００４１】
図３（Ａ）に示す店舗情報データベース３２１には、情報提供サーバ３から提供されるネット市場に出店登録された店舗の店舗ＩＤ、店舗名、住所、電話番号、メールアドレス、店舗ページのＵＲＬ、及び取扱商品の商品情報等の店舗情報が店舗毎に対応付けられて登録される。ここで、店舗ＩＤは、商品を提供する提供者としての店舗を特定するための提供者特定情報の一例である。取扱商品の商品情報には、店舗で販売している各商品の商品ＩＤ、商品名、商品コード（例えば、ＪＡＮコード）、商品説明（商品スペックや商品特徴等）、商品画像データ、販売価格情報、及び在庫情報等が含まれる。
【００４２】
図３（Ｂ）に示す投稿情報データベース３２２には、各商品の商品ＩＤ、投稿日付、投稿情報、及び投稿情報取得先サイト（Ｗｅｂサイト２−ｋ）のＵＲＬ等の情報が対応付けられて登録される。図４は、投稿情報データベース３２２に登録された情報の一例を示す図である。図４に示す例では、１つの商品（例えば、商品ＩＤが“S00001”）に対しては複数のレコード（図４の例では、１レコード＝１行）が登録されている。このレコード数をカウントすれば商品毎の投稿数を算出することができる。また、図４に示す投稿情報には、記事、つぶやき、クチコミ、レビュー、評価、及び閲覧数等の情報のほか、投稿日付（この例では、投稿された年月日時）が含まれている。
【００４３】
図３（Ｃ）に示す部分領域情報データベース３２３には、部分領域の領域ＩＤ、部分領域の座標情報、部分領域に割当てられた店舗の店舗ＩＤ、及び部分領域の利用料金情報等が部分領域毎に対応付けられて登録される。
【００４４】
ここで、部分領域とは、広告コンテンツが表示されるＷｅｂページの広告表示領域における一部の領域をいう。つまり、広告表示領域は、複数の部分領域から構成される。図５は、ある広告表示領域に含まれる部分領域の一例を示す図である。図５（Ａ）に示す例では、各部分領域は、広告表示領域Ｒが矩形状に分割された各矩形領域（Ａ〜Ｅ）からなり、各部分領域Ａ〜Ｅのサイズ（矩形領域の面積）は互いに異なっている。なお、各部分領域のうち、少なくとも２つ以上の部分領域のサイズを同一としても良い。また、部分領域の形状は特に限定されるものではなく、三角形、五角形以上、円形等であっても良い。また、部分領域の数（図５（Ｂ）の例では、５つ）も特に限定されるものではなく、幾つであっても良い。
【００４５】
一方、図５（Ｂ）に示す例では、各部分領域は、複数ピクセル単位（例えば４ピクセル単位）からなるドット領域の集合からなり、部分領域毎にドット領域の配分率（広告表示領域Ｒにおいてドット領域が占める割合）が互いに異なっている。例えば、図５に示す部分領域Ａのドット領域は、○印で表されており、このドッド領域は配分率５０％で広告表示領域内Ｒに散りばめられている。また、各部分領域Ａ〜Ｅのサイズ（集合する各ドット領域の面積の総和）は互いに異なっているが、各部分領域のうち少なくとも２つ以上の部分領域のサイズを同一としても良い。また、部分領域の数（図５（Ｂ）の例では、５つ）は特に限定されるものではなく、幾つであっても良い。なお、図５（Ｂ）に示す例では、説明の便宜上、各ドット領域間に隙間があるが実際には隙間無く埋められている。
【００４６】
また、部分領域の領域ＩＤは、部分領域毎に異なる識別情報であり、各部分領域の領域ＩＤ中には、広告表示領域の領域ＩＤが含まれている。例えば、広告表示領域の領域ＩＤが「x0001」であるとすると、当該広告表示領域に含まれる各部分領域の領域ＩＤは、「x0001-1」,「x0001-2」,「x0001-3」・・・として表される。
【００４７】
また、部分領域の座標情報は、部分領域を特定するための部分領域特定情報の一例である。例えば、部分領域が矩形領域である場合には、当該矩形領域における対角の２ポイントの座標（ｘ，ｙ）を一対（或いは、部分領域の輪郭上の複数の座標でも良い）として部分領域の座標情報とすることができる。また、部分領域がドット領域の集合である場合には、各ドット領域の座標（各ピクセルの座標）を当該部分領域の座標とすることができる。
【００４８】
また、各部分領域には、後述する部分領域割当処理により夫々異なる店舗が割当てられるようになっており、割当てられた店舗の店舗ＩＤが部分領域の領域ＩＤに対応付けられて登録される。
【００４９】
また、部分領域の利用料金情報には、部分領域に対して設定された利用料金（例えば、１ヶ月の利用料金）が示される。この利用料金情報に基づき店舗に対する課金処理が行われる。この利用料金は、部分領域毎に異なっており、例えば、部分領域のサイズが大きいほど高い利用料金が設定される。また、利用料金は、広告表示領域における部分領域の位置に応じて設定される（例えば、ユーザにより指定されやすい位置ほど利用料金が高い）ように構成しても良い。また、利用料金は、Ｗｅｂページの開設者やサイトの運営者等によって予め決められた固定料金であっても良いし、広告表示領域の利用を希望する各店舗により提示された入札額に応じて変動する変動料金であっても良い。
【００５０】
図３（Ｄ）に示す利用希望店舗情報データベース３２４には、広告表示領域又は部分領域の領域ＩＤ、利用を希望する店舗の店舗ＩＤ、及び利用料金情報等が対応付けられて登録される。例えば、部分領域の利用料金が固定料金（店舗の負担額）である場合、利用を希望する各店舗の店舗ＩＤ及び固定料金を示す利用料金情報が部分領域の領域ＩＤに対応付けられて登録される。また、部分領域の利用料金が変動料金である場合、利用を希望する各店舗の店舗ＩＤ及び変動料金（例えば入札額）を示す利用料金情報が広告表示領域の領域ＩＤ又は部分領域の領域ＩＤに対応付けられて登録される。このように登録された店舗の中から、部分領域に割当てられる店舗が部分領域毎に決定されることになる。
【００５１】
システム制御部３３は、ＣＰＵ（Central Processing Unit）、ＲＯＭ（Read Only Memory）、及びＲＡＭ（Random Access Memory）等により構成されている。そして、システム制御部３３は、ＣＰＵが、ＲＯＭや記憶部に記憶された各種プログラムを読み出し実行することにより、本発明の送信手段、位置情報取得手段、部分領域特定手段、制御手段、領域割当手段、及び割当変更手段として機能し、後述する処理を行うようになっている。
【００５２】
［２．情報提供システムＳの動作］
次に、本実施形態に係る情報提供システムＳの動作について説明する。
（２．１  広告表示領域の利用を希望する店舗の募集動作）
先ず、例えば情報提供サイトを通じて広告表示領域の利用を希望する店舗の募集動作について説明する。
【００５３】
利用料金が固定料金の場合の募集動作では、店舗の端末で入力された店舗ＩＤ等を用いて情報提供サイトにログイン後、例えば広告表示領域において予め設定された各部分領域及び各部分領域に設定された利用料金を示す情報等を表示するＷｅｂページが当該店舗の端末に送信され、Ｗｅｂブラウザにより表示される。このように表示されたＷｅｂページ上には、例えば、図５（Ａ）又は図５（Ｂ）に示すように、各部分領域が視認可能に表示される。そして、店舗の管理者が利用を希望する部分領域を選択（例えば、ラジオボタンをチェック）して応募ボタンを指定（例えばマウスによりクリック操作、又はタッチパネル上を指等でタップ操作）すると、選択された部分領域を示す情報が当該店舗の端末から情報提供サーバ３に送信され、当該店舗の店舗ＩＤが、上記選択された部分領域の領域ＩＤ及び固定料金を示す利用料金情報に対応付けられて利用希望店舗情報データベース３２４に登録される。
【００５４】
一方、利用料金が変動料金の場合の募集動作（例１）では、店舗の端末で入力された店舗ＩＤ等を用いて情報提供サイトにログイン後、例えば、広告表示領域において予め設定された各部分領域を示す情報及び入札額の入力欄等を表示するＷｅｂページが当該店舗の端末に送信され、Ｗｅｂブラウザにより表示される。なお、入力欄に入力できる金額はネットオークションのように、現在の最高入札額より大きい入札額しか入力できないように構成しても良い。そして、店舗の管理者が利用を希望する部分領域を選択すると共に入力欄に入力額を入力して応募ボタンを指定すると、選択された部分領域及び入力された入札額を示す情報が当該店舗の端末から情報提供サーバ３に送信され、当該店舗の店舗ＩＤ及び上記入力された入札額を示す利用料金情報が、上記選択された部分領域の領域ＩＤに対応付けられて利用希望店舗情報データベース３２４に登録される。
【００５５】
一方、利用料金が変動料金の場合の募集動作（例２）では、店舗の端末で入力された店舗ＩＤ等を用いて情報提供サイトにログイン後、例えば、広告表示領域を示す情報及び入札額の入力欄等を表示するＷｅｂページが当該店舗の端末に送信され、Ｗｅｂブラウザにより表示される。そして、店舗の管理者が入力欄に入力額を入力して応募ボタンを指定すると、入力された入札額を示す利用料金情報が当該店舗の端末から情報提供サーバ３に送信され、当該店舗の店舗ＩＤ及び上記入力された入札額が、上記広告表示領域の領域ＩＤに対応付けられて利用希望店舗情報データベース３２４に登録される。
【００５６】
（２．２．広告コンテンツの設定動作）
先ず、広告コンテンツの設定動作について、図６を用いて説明する。
【００５７】
図６は、情報提供サーバ３のシステム制御部３３における広告コンテンツの設定処理を示すフローチャートである。この広告コンテンツの設定処理は、例えばオペレータからの指示があったとき、監視している投稿数や閲覧数等が閾値を超えたとき、又は情報提供サイトにアクセスされたユーザ端末１−ｊからＷｅｂページの要求が受信されたときに開始される。また、この広告コンテンツの設定処理は、設定した時刻（又は設定したタイマ）にしたがって所定時間毎（例えば、４８時間毎）に、開始されるように構成しても良い。
【００５８】
図６に示す処理が開始されると、システム制御部３３は、Ｗｅｂサイト２−ｋに登録されている投稿情報を取得する（ステップＳ１）。例えば、システム制御部３３は、投稿情報の取得先となる１以上のＷｅｂサイト２−ｋのＵＲＬを予め設定しておき、当該ＵＲＬにしたがってＷｅｂサイト２−ｋへアクセスし該Ｗｅｂサイト２−ｋのＷｅｂサーバから投稿情報を取得する。
【００５９】
以上のようにして、例えば、ブログサイト、ミニブログサイト、レビューサイト、クチコミサイト、及び商品販売サイト等から、記事、コメント、つぶやき、クチコミ、レビュー、評価等を含む投稿情報が取得される。
【００６０】
次いで、システム制御部３３は、取得した投稿情報に基づいて、例えば店舗情報データベース３２１から商品を特定する処理を行う（ステップＳ２）。例えば、投稿情報に係る文字列から商品名又は商品コードが抽出され、該抽出された商品名又は商品コードが店舗情報データベース３２１に登録されている（つまり、取扱商品の商品情報に含まれている）場合には、当該商品名又は商品コードに対応する商品（商品ＩＤ）が特定される。或いは、予め設定された商品のレビュー等の入力欄にユーザがレビューを入力するようなＷｅｂページの場合、当該Ｗｅｂページの入力欄に対応付けられて記述されている商品名や商品コードが抽出され、該抽出された商品名又は商品コードが店舗情報データベース３２１に登録されている場合には、当該商品名又は商品コードに対応する商品（商品ＩＤ）が特定される。なお、商品の特定は、店舗情報データベース３２１以外のデータベース（例えば、発売前の商品の情報が登録されたデータベースなど）が参照されることにより行われても良い。
【００６１】
次いで、システム制御部３３は、上記ステップＳ２で商品を１以上特定できたか否かを判定する（ステップＳ３）。そして、システム制御部３３は、商品を１以上特定できた場合（ステップＳ３：ＹＥＳ）、特定した商品の商品ＩＤ、投稿情報、及び投稿情報の取得先サイトのＵＲＬ等の情報を商品毎（１レコード毎）に対応付けて投稿情報データベース３２２に登録し（ステップＳ４）、ステップＳ５に進む。ここで、新たに登録されるレコードに含まれる商品ＩＤ、投稿日付、及び文字列と、投稿情報データベース３２２に既に登録されているレコードに含まれる商品ＩＤ、投稿日付、及び文字列とが同一である場合、既に登録されているレコードが、新たなレコードにより更新（例えば上書き）される（このとき、当該レコードに含まれる閲覧数等に変化があれば更新される）。一方、システム制御部３３は、商品を１つも特定できない場合（ステップＳ３：ＮＯ）、そのままステップＳ５に進む。
【００６２】
次いで、ステップＳ５において、システム制御部３３は、投稿情報データベース３２２を参照し、投稿日付が、現時点から過去所定期間前（例えば、１週間前）の時点までの期間Ｔ内にある商品（例えば、最近１週間内で投稿情報が投稿された商品）のレコードを抽出し、当該抽出したレコードの数が、所定数（例えば、１０）以上の商品があるか否かを判定する。そして、システム制御部３３は、上記抽出したレコードの数が所定数以上の商品があると判定した場合（ステップＳ５：ＹＥＳ）、ステップＳ６に進み、上記抽出したレコードの数が所定数以上の商品がないと判定した場合には（ステップＳ５：ＮＯ）、図６に示す処理を終了する。このステップＳ５により、最近、ユーザ間である程度注目されている商品のレコードを抽出することができる。例えば、商品αのレコードが全部で１００あるとし、その中で、投稿日付が上記期間Ｔ内にあるレコードの数が１０（上記所定数以上の条件を満たす）である場合、この商品αの１０のレコードが抽出され、ステップＳ６以降の処理で使用されることになる（言い換えれば、この期間Ｔより過去に投稿されたレコードは抽出対象外となる）。一方、例えば、商品αのレコードが全部で１００あるとし、その中で、投稿日付が上記期間Ｔ内にあるレコードの数が９（上記所定数以上の条件を満たさない）である場合、この商品αのレコードは、図６に示す処理で使用されない。なお、このステップＳ５の処理において、現時点から過去所定期間前の時点までの期間内に限らず、過去に投稿情報データベース３２２に登録された全てのレコードを抽出するように構成しても良い。
【００６３】
次いで、ステップＳ６において、システム制御部３３は、レコードの数が所定数以上である商品（商品ＩＤ）毎に、上記抽出された各商品のレコードに含まれる投稿情報に基づいて、各商品の注目度としてのスコアを算出する。このスコアの算出方法の例としては、以下の（ａ）〜（ｄ）が挙げられる。
【００６４】
なお、このスコアの算出において、上述した、商品に対する投稿数、閲覧数、返信数、被リンク数、被トラックバック数、フォロワー数、及びリツイート数を、夫々、「スコア算出要素」という。これらのスコア算出要素に示される数が多ければ多いほど、その商品が注目されていると言える。ここで、商品に対する投稿数は、上記抽出された商品のレコードの数を、商品毎にカウントすることにより得られる。例えば、図４に示す商品ＩＤ“S00001”の商品に対する投稿数は、当該商品ＩＤを含むレコードの数となる。また、商品に対する返信数は、上記抽出された商品の各レコードに含まれる返信数を、商品毎に合計することにより得られる。例えば、図４に示す商品ＩＤ“S00001”の商品に対する返信数は、当該商品ＩＤを含む各レコードに含まれる各返信数の和となる（被リンク数、被トラックバック数、フォロワー数、及びリツイート数についても同様）。
【００６５】
（ａ）スコア算出要素を用いた算出方法
この場合、システム制御部３３は、予め選択された１つのスコア算出要素（例えば、投稿数、閲覧数、返信数、被リンク数、及びフォロワー数等のうちの何れか１つの要素）、又は予め複数選択された各スコア算出要素の合計（例えば、投稿数と閲覧数の合計。その他の２つ以上の要素の合計でも良い）をスコアとして算出する。或いは予め選択された複数のスコア算出要素の各々をスコアとして算出しても良い（この場合、例えば投稿数が第一スコアとなり、閲覧数が第二スコアとなる）。ここで、どのスコア算出要素が選択されても良いが、投稿情報の種別（記事、コメント、ひとこと、つぶやき、クチコミ、レビュー、評価等の種別）によっては得られない要素もあるので、どの種別によっても得られる投稿数や閲覧数を選択することが望ましい。（ａ）の算出方法によれば、迅速にスコアを算出することができる。ところで、有名人が投稿者である場合、この人のフォロワー数（この人をフォローしているユーザの数）は何千〜何万にも昇る。したがって、フォロワー数、又はフォロワー数を含んだ各スコア算出要素の合計をスコアとして算出する場合、有名人が投稿者となった商品のスコア（注目度）は、一気に上昇することになる。このようにフォロワー数を用いてスコアを算出する方法は、投稿者毎に異なる下駄をはかせる意味で有効であり、将来的に多くの人から注目を集める可能性が高い（つまり、有名人が注目しているので他の人も注目する可能性が高い）商品のスコアを高めることができる（この結果、後述するステップＳ７で注目商品として決定され易くなる）。
【００６６】
なお、例えばアクセスランキングの上位に位置する人気のあるブログページや予め設定されたブロガーなどのブログページから取得された投稿情報に基づき得られた閲覧数等のスコア算出要素には他より大きな重み付け係数（例えば、２）を乗算（通常のＷｅｂページから取得された投稿情報に基づき得られたスコア算出要素には、重み付け係数“１”を乗算）してから、スコア算出要素の合計を算出するように構成すれば、より精度の高いスコアを算出することができる。また、投稿数については、例えばアクセスランキングの上位に位置する人気のあるブログページや予め設定されたブロガーなどのブログページから取得された投稿情報が含まれるレコードには他より大きな重み付け係数（例えば、２）を乗算してから、レコードをカウントする（つまり、他より大きな重み付け係数が乗算されたレコードは１カウントされるのではなく２カウントされる）ように構成すれば、より精度の高いスコアを算出することができる。
【００６７】
（ｂ）スコア算出要素の変換ポイントを用いた算出方法
この場合、システム制御部３３は、予め複数選択された各スコア算出要素の変換ポイントの合計をスコアとして算出する。図７は、スコア算出要素から変換ポイントへの変換テーブルの一例を示す図である。図７に示すように、同じ変換ポイントを得るのに必要な件数がスコア算出要素毎に異なっている。例えば２０ｐ（ポイント）を得るためには、投稿数では「１００１〜２０００件」必要であるのに対し、被リンク数では「２１〜４０件」あれば良い。システム制御部３３は、選択された各スコア算出要素を、ＲＡＭ等に記憶された変換テーブルを参照することで変換ポイントに変換し、変換した変換ポイントの合計をスコアとして算出することになる。（ｂ）の算出方法によれば、商品の注目度における各スコア算出要素の寄与割合（重み）を考慮してスコアが算出されるので、精度の高いスコアを算出することができる。
【００６８】
なお、例えばアクセスランキングの上位に位置する人気のあるブログページや予め設定されたブロガーなどのブログページから取得された投稿情報に基づき得られた変換ポイントには他より大きな重み付け係数（例えば、２）を乗算（通常のＷｅｂページから取得された投稿情報に基づき得られた変換ポイントには、重み付け係数“１”を乗算）してから、各変換ポイントの合計を算出するように構成すれば、より精度の高いスコアを算出することができる。
【００６９】
（ｃ）投稿情報の内容を用いた算出方法
この場合、システム制御部３３は、投稿情報に含まれる評価（点数）及び文字列（商取引対象物に対する評価に関する情報の一例）の少なくとも何れか一方に基づき得られた評価ポイントの合計をスコアとして算出する。評価の場合、評価そのままの点数、或いは点数に所定の係数を掛けた点数が評価ポイントとして得られる。一方、文字列の場合、当該文字列中に、所定のワード（語）リストに登録されたワード（センテンス（文章）でも良い）が含まれている場合、当該ワードに対応する評価ポイントが当該ワードリストから得られる。このワードリストには、例えば、ポジティブ（肯定的）なワードとネガティブ（否定的）なワードが登録されており、ポジティブなワードにはプラスの評価ポイントが対応付けられている一方、ネガティブなワードにはマイナスの評価ポイントが対応付けられている。例えば、ポジティブなワードと評価ポイントの例としては、「操作性が良い→評価ポイント：＋２」、「大満足→評価ポイント：＋３」、「お勧めの・・・→評価ポイント：＋３」等が挙げられ、ワード毎に対応付けられる評価ポイントが異なる（文章についても同様）。一方、ネガティブなワードと評価ポイントの例としては、「値段が高い→評価ポイント：−１」、「機能が少ない→評価ポイント：−１」、「いまいち→評価ポイント：−２」等が挙げられ、ワード毎に対応付けられる評価ポイントが異なる。なお、投稿情報は、様々な人により表現されるため、例えば、その前後のワードの繋がり（修飾関係）によっては、ポジティブであったり、ネガティブであったりする場合がある。例えば、「音質がよくない」という文における「よくない」はネガティブなワードであると評価できる一方、「音質がよくない？」という文における「よくない」は「？」が付加されていることからポジティブなワードであると評価できることもある。そこで、ネガティブであるかポジティブであるかの極性判定を行い学習させることで、ワードリストに登録されるワードをポジティブであるか、ネガティブであるかを振り分けるように構成（つまり、ワードリストに登録されるワードの極性を固定にするのではなく学習により変動可能とする）すれば、より効果的である。なお、上記極性判定については公知の技術を適用できるので、詳しい説明を省略する。そして、システム制御部３３は、レコードの投稿情報に含まれる文字列を例えば形態素解析などにより所定の長さのワード（例えば、形態素（言語で意味を持つ最小単位））に分割した後に、当該ワード又はワードの組合せが、ワードリストに登録されているか否かを確認し、登録されている場合には、対応する評価ポイントをワードリストから得る（上記抽出されたレコード毎に抽出）ことになる。なお、１つのレコード内の投稿情報に含まれる文字列中に、ワードリスト登録されているワードが複数含まれている場合、各ワードに対応する評価ポイントの合計（更に、投稿情報に評価も含まれている場合、評価に対応する点数が加算される）が当該レコードに対応する評価ポイントとして得られる。また、１つのレコード内の投稿情報に含まれる文字列中に、ワードリスト登録されているワードが１つも含まれていない場合、当該レコードに対応する評価ポイントは“０”として得られる。そして、システム制御部３３は、各レコードに対応する評価ポンイトを商品毎に合計してスコアを算出することになる。（ｃ）の算出方法によれば、投稿者の商品に対する意見や思い入れ等を考慮してスコアが算出されるので、より精度の高いスコアを算出することができる。
【００７０】
なお、例えばアクセスランキングの上位に位置する人気のあるブログページや予め設定された予め設定されたブロガーなどのブログページから取得された投稿情報に基づき得られた評価ポイントには他より大きな重み付け係数（例えば、２）を乗算（通常のＷｅｂページから取得された投稿情報に基づき得られた評価ポイントには、重み付け係数“１”を乗算）してから、各評価ポイントの合計を算出するように構成すれば、より精度の高いスコアを算出することができる。
【００７１】
（ｄ）スコア算出要素の伸び率を用いた算出方法
この場合、システム制御部３３は、予め選択された１つのスコア算出要素の所定期間（例えば、５日間）における伸び率、又は予め複数選択された各スコア算出要素の所定期間における伸び率の合計をスコアとして算出する。ここで、伸び率は、例えば、上記所定期間の最初の日の投稿数で、最後の日の投稿数を割った値×１００％として算出される。（ｄ）の算出方法によれば、投稿数等の伸び率を考慮してスコアが算出されるので、より精度の高いスコアを算出することができる。
【００７２】
なお、より精度の高いスコアを得るために、上記（ａ）〜（ｄ）の何れか複数の算出方法（例えば、（ａ）の算出方法と（ｃ）の算出方法が望ましい）で得られたスコアの合計を、最終的なスコアとして算出するように構成しても良い。この場合、各算出方法で得られたスコアに、重要度に応じた重み付け係数を乗算してからそれらの合計を最終的なスコアとして算出すれば、より精度の高いスコアを得ることができる。なお、上記（ａ）〜（ｄ）以外の算出方法でスコアを算出するように構成しても良い。
【００７３】
以上のようにスコアが算出されると、システム制御部３３は、当該算出した各商品のスコアに基づいて広告表示対象となる商品（以下、「注目商品」という）を決定（商品ＩＤで決定）する（ステップＳ７）。例えば、システム制御部３３は、各商品のスコアを比較してスコアが最も高い商品を注目商品として決定する。
【００７４】
ところで、上記（ｂ）の算出方法で、選択された各スコア算出要素のスコア（例えば、第一スコア、第二スコア）が算出された場合、システム制御部３３は、各スコア算出要素のスコア毎のランキングを決定し、次に、夫々のランキングにおける順位の和（平均でも良い）を商品毎に算出し、次に、当該順位の和を比較して当該順位の和が最も小さい商品が注目商品として決定される。例えば、商品ＩＤ“S00001”の商品に対する投稿数のスコアの順位が１位で閲覧数のスコアの順位が３位であるとした場合、順位の和は“４”（平均は２）となる。
【００７５】
なお、上記決定された注目商品の商品ＩＤと当該注目商品のスコアは対応付けられてＲＡＭ等に記憶される。
【００７６】
次いで、システム制御部３３は、上記ステップＳ７で決定された注目商品を販売する店舗を決定（店舗ＩＤで決定）する（ステップＳ８）。例えば、システム制御部３３は、店舗情報データベース３２１を参照して、注目商品の商品ＩＤを含む店舗情報に対応する店舗を決定する。或いは、システム制御部３３は、注目商品の商品ＩＤを含み、且つ注目商品の在庫有りの店舗を決定しても良い。
【００７７】
次いで、システム制御部３３は、予め設定された広告表示領域に含まれる部分領域への店舗の割当て（対応付け）処理（以下、「部分領域割当処理」という）を行う（ステップＳ９）。利用料金が固定料金の場合の部分領域割当処理では、システム制御部３３は、利用希望店舗情報データベース３２４に登録されている部分領域の領域ＩＤに対応付けられた店舗ＩＤのうち、上記ステップＳ８で決定された店舗の店舗ＩＤを特定する。そして、システム制御部３３は、特定した店舗ＩＤが１つであれば、当該店舗ＩＤに対応する店舗を当該部分領域に割当てる。一方、特定した店舗ＩＤが複数であれば、その中から例えばランダムに店舗ＩＤを１つ選択（或いは、上記決定された注目商品を最安値で販売する店舗の店舗ＩＤを選択）し、選択した店舗ＩＤに対応する店舗を当該部分領域に割当てる。そして、システム制御部３３は、当該部分領域に割当てられた店舗の店舗ＩＤを、当該部分領域の領域ＩＤに対応付けて部分領域情報データベース３２３（部分領域の領域ＩＤ、座標情報、及び利用料金情報は事前に登録）に登録する。このような店舗の割当て及び登録は部分領域毎に実行される。
【００７８】
一方、利用料金が変動料金の場合の部分領域割当処理（例１）では、システム制御部３３は、利用希望店舗情報データベース３２４に登録されている部分領域の領域ＩＤに対応付けられた店舗ＩＤのうち、上記ステップＳ８で決定された店舗の店舗ＩＤを特定する。そして、システム制御部３３は、特定した店舗ＩＤが１つであれば、当該店舗ＩＤに対応する店舗を当該部分領域に割当てる。一方、特定した店舗ＩＤが複数であれば、その中から入札額が最も高い店舗ＩＤを選択し、選択した店舗ＩＤに対応する店舗を当該部分領域に割当てる。そして、システム制御部３３は、当該部分領域に割当てられた店舗の店舗ＩＤを、当該部分領域の領域ＩＤに対応付けて部分領域情報データベース３２３（部分領域の領域ＩＤ、及び座標情報は事前に登録）に登録すると共に、当該部分領域に割当てられた店舗の入札額を当該部分領域の利用料金情報として当該部分領域の領域ＩＤに対応付けて部分領域情報データベース３２３に登録する。このような店舗の割当て及び登録は部分領域毎に実行される。
【００７９】
一方、利用料金が変動料金の場合の部分領域割当処理（例２）では、システム制御部３３は、利用希望店舗情報データベース３２４に登録されている広告表示領域の領域ＩＤに対応付けられている店舗ＩＤのうち、上記ステップＳ８で決定された店舗の店舗ＩＤを特定する（店舗ＩＤが複数特定されることが前提）。そして、システム制御部３３は、特定した各店舗ＩＤに対応付けられている入札額を比較して入札額が高い順にソートして入札額のランキングを決定し、当該ランキングにおいて１位（入札額が最も高い）から所定順位（例えば、予め決定された部分領域の数に相当する順位）までの店舗を決定する。例えば、部分領域が図５（Ａ）又は図５（Ｂ）に示すように、５つであれば、上記所定順位は５位となる。そして、システム制御部３３は、決定された各店舗の入札額（入札額の順位）に基づいて、当該各店舗を各部分領域に割当てる。例えば入札額が高い店舗ほど、サイズの大きい（又はドット領域の配分率が高い）部分領域が割当てられる。また、例えば入札額が高い店舗ほど、例えば、閲覧者により指定（例えばマウスによりクリック操作、又はタッチパネル上をタップ操作）されやすい位置を含む部分領域が割当てられる。ここで、閲覧者により指定されやすい位置としては、例えば過去の実績において指定回数が多い位置が該当する。各部分領域の指定回数（例えば、クリック数とタップ数の総和）は、各部分領域の領域ＩＤに対応付けられて指定回数テーブル（指定回数記憶手段の一例）に登録されており、部分領域が指定される度に登録されている指定回数がインクリメントされるようになっている。そのため、当該指定回数を参照すれば過去の実績において指定回数が多い位置を含む部分領域を特定できる。つまり、システム制御部３３は、指定回数テーブルに登録されている、部分領域毎の指定回数を比較し、指定回数が相対的に多い（例えば、指定回数のランキングが上位（例えば、１位）の）部分領域に利用料金の入札額が相対的に大きい（例えば、入札額のランキングが上位（例えば、１位）の）店舗を割当てる。また、閲覧者により指定されやすい位置の他の例としては、閲覧者に対して指定を誘導する情報が表示される位置が該当する。指定を誘導する情報としては、例えば、「ここをクリック」等の文字、矢印等の画像や、吹き出しと文字との組み合わせ等が挙げられる。このような表示がなされている位置は閲覧者により無意識に指定される可能性が高い。そして、システム制御部３３は、各部分領域に割当てられた店舗の店舗ＩＤを、各部分領域の領域ＩＤに対応付けて部分領域情報データベース３２３に登録すると共に、各部分領域に割当てられた店舗の入札額を各部分領域の利用料金情報として各部分領域の領域ＩＤに対応付けて部分領域情報データベース３２３に登録する。
【００８０】
なお、利用料金が変動料金の場合の部分領域割当処理（例２）において、決定された各店舗の入札額に基づいて、部分領域が決定（つまり、部分領域の数及びサイズ（又はドット領域の配分率）が決定）されるように構成しても良い。この場合、システム制御部３３は、上記決定した入札額のランキングにおいて、上記特定された店舗ＩＤの数に基づいて１位から所定順位までの店舗を決定する。例えば、上記特定された店舗ＩＤが所定数（例えば５つ）以上であれば１位から所定数に相当する順位（例えば、５位）までの店舗が決定され、上記特定された店舗ＩＤが所定数未満（例えば、３つ）であれば、１位から上記特定された店舗ＩＤの数に相当する順位（例えば、３位）までの店舗が決定される。そして、システム制御部３３は、上記決定した店舗の入札額の総和を算出し、当該算出した総和における入札額の比率（占有率）（％）を上記決定した店舗毎に算出する。そして、システム制御部３３は、算出した各入札額の比率に基づいて各部分領域を決定する。言い換えれば、部分領域のサイズ（図５（Ａ）に示す場合）、又は各部分領域のドット領域の配分率（図５（Ｂ）に示す場合）が決定される。例えば、入札額の比率が５０％の場合、広告表示領域の半分が部分領域として決定される。或いは、入札額の比率が５０％の場合、部分領域のドット領域の配分率が５０％として決定される。そして、システム制御部３３は、部分領域の決定に用いた上記入札額（比率）に対応する店舗（上記決定された店舗）を、当該部分領域に割当てる。
【００８１】
次いで、システム制御部３３は、上記ステップＳ７で決定された注目商品の広告コンテンツを生成する（ステップＳ１０）。例えば、上記部分領域が割当てられた店舗のうち何れかの店舗（例えば、入札額が最も高い店舗）の商品情報に含まれる商品画像データ及び商品説明のテキストデータの少なくとも何れか一方が店舗情報データベース３２１から抽出され、抽出されたデータに基づいて広告コンテンツ（例えば、上記広告表示領域と同サイズの画像からなる広告コンテンツ）が生成される。
【００８２】
次いで、システム制御部３３は、上記生成された広告コンテンツ（バナー広告:1001.gif）を、上記店舗が割当てられた各部分領域を含む広告表示領域に表示する情報として設定すると共に、情報提供サイトへのリンク情報（例えば、情報提供サイトのＵＲＬ）を当該広告表示領域に設定する（ステップＳ１１）。なお、この情報提供サイトのＵＲＬ中には、当該広告コンテンツが設定される広告表示領域の領域ＩＤが含まれる。例えば、リンク情報は、「<A href="http://www.abc.com/?id=x0001/cgi.../" target=_'blank'><IMG src="http://www.abc.com/banner/1001.gif"></A>」のように生成される。上記リンク情報は、アフィリエイトリンクであっても良い。当該アフィリエイトリンクを経由して商品の購入決済が行われた場合に、当該商品の投稿情報に対応する投稿者に対してアフィリエイトの成果報酬が支払われる。
【００８３】
次いで、システム制御部３３は、上記広告コンテンツ及びリンク情報が広告表示領域に設定されたＷｅｂページを構成する構造化文書ファイル等を、ユーザ端末１−ｊからアクセス可能なＵＲＬで示される記憶領域に記憶する（ステップＳ１２）。これにより、その後、あるユーザ端末１−ｊからＷｅｂページの要求があった場合に、システム制御部３３は、上記広告コンテンツ等が広告表示領域に設定されたＷｅｂページを、当該要求をしたユーザ端末１−ｊへ送信して表示させることになる。なお、ユーザ端末１−ｊからＷｅｂページの要求が受信されたときに図６に示す処理が開始された場合、システム制御部３３は、上記広告コンテンツ等が広告表示領域に設定されたＷｅｂページを、当該要求をしたユーザ端末１−ｊへ送信して表示させる。
【００８４】
以上の広告コンテンツの設定処理によれば、ユーザ端末１−ｊのユーザ間で最近注目を集めている商品または注目を集めそうな商品を広告表示領域に設定される広告表示対象とすることができるので、そのような広告表示領域の指定頻度を向上させることができ、その結果、当該商品を提供する店舗に対応する情報の閲覧頻度も向上させることができる。
なお、広告コンテンツの設定処理においては、広告表示対象となる注目商品は投稿情報に基づいて決定されるように構成したが、当該投稿情報を用いずに、例えば多くの店舗から広告表示を希望する商品のアンケートを実施し、当該アンケート結果で最も希望が多かった商品を上記広告表示対象となる商品として決定するように構成しても良い。
【００８５】
（２．３．部分領域に割当てられた店舗に対応する情報の提供動作）
次に、部分領域に割当てられた店舗に対応する情報の提供動作について、図８を用いて説明する。
【００８６】
図８は、情報提供サーバ３のシステム制御部３３における情報提供処理を示すフローチャートである。上記店舗が割当てられた広告表示領域を含むＷｅｂページがユーザ端末１−ｊにより受信されウインドウ画面に表示されている状態において、当該広告表示領域（言い換えれば、広告コンテンツ）における任意の位置がユーザの操作により指定（例えばマウスによりクリック操作、又はタッチパネル上をタップ操作）された場合に、ユーザ端末１−ｊのＷｅｂブラウザは、当該広告表示領域における指定された位置情報（当該Ｗｅｂページ上の座標）及び上記情報提供サイトのＵＲＬを含むリクエストを情報提供サーバ３に送信する。そして、情報提供サーバ３のシステム制御部３３は、リクエストを受信（つまり、情報提供サーバ３が位置情報等をユーザ端末１−ｊから取得）すると、図８に示す処理を開始する。
【００８７】
図８に示す処理が開始されると、システム制御部３３は、受信したリクエストから位置情報及び広告表示領域の領域ＩＤを取得する（ステップＳ２１）。
【００８８】
次いで、システム制御部３３は、部分領域情報データベース３２３を参照して、上記取得された広告表示領域の領域ＩＤに基づき当該広告表示領域に含まれる各部分領域の領域ＩＤを特定する（ステップＳ２２）。
【００８９】
次いで、システム制御部３３は、上記特定された各部分領域の領域ＩＤに対応付けられた各部分領域の座標情報と、上記ステップＳ２１で取得された位置情報とを比較することにより、当該位置情報（座標）を含む部分領域を特定する（ステップＳ２３）。例えば、システム制御部３３は、各部分領域の座標情報から各部分領域の範囲を画する座標群を求め、上記ステップＳ２１で取得された位置情報（座標）が含まれる座標群に対応する部分領域を特定する。特定された部分領域は、ユーザの操作により指定された部分領域である。
【００９０】
次いで、システム制御部３３は、上記ステップＳ２１で取得された広告表示領域の領域ＩＤに対応付けられて記憶されている指定回数テーブル（指定回数記憶手段の一例）に登録されている各部分領域の指定回数（例えば、クリック数とタップ数の総和）のうち、上記ステップＳ２３で特定された部分領域の領域ＩＤに対応付けられている指定回数を１インクリメントする（ステップＳ２４）。このように、上記ステップＳ２３で部分領域が特定される毎に、指定回数テーブルに登録された、当該特定された部分領域の指定回数がインクリメントされる。この指定回数により、部分領域が閲覧者により何回指定されたかを判定することができる。
【００９１】
次いで、システム制御部３３は、上記特定された部分領域に対応する領域ＩＤに基づいて店舗を特定し、該特定した店舗（つまり、当該部分領域に割当てられた店舗）に対応する情報のユーザ端末１−ｊへの送信制御を行う（ステップＳ２５）。例えば、システム制御部３３は、上記特定された部分領域に割当てられた店舗の店舗ＩＤ（つまり、特定された部分領域の領域ＩＤに対応付けられた店舗ＩＤ）を部分領域情報データベース３２３から取得する（これにより、店舗が特定される）。そして、システム制御部３３は、当該取得した店舗ＩＤに対応付けられた商品情報等を店舗情報データベース３２１から取得し、該取得した商品情報等に基づき、当該店舗ＩＤに対応する店舗が上記注目商品（上記広告表示領域で広告表示されている注目商品）の購入手続きを行うための商品購入手続ページを生成する。そして、システム制御部３３は、生成した商品購入手続ページ（店舗に対応する情報の一例）を、上記特定された部分領域に割当てられた店舗に対応する情報としてユーザ端末１−ｊ（上記リクエストを送信したユーザ端末１−ｊ）に送信してＷｅｂブラウザに表示させる。
【００９２】
或いは、システム制御部３３は、部分領域情報データベース３２３から取得した店舗ＩＤに対応付けられた店舗ページのＵＲＬ（リダイレクト情報）を、店舗情報データベース３２１から取得し、当該取得した店舗ページのＵＲＬ（店舗に対応する情報の一例）を、部分領域に割当てられた店舗に対応する情報としてユーザ端末１−ｊに送信するように構成しても良い。この場合、ユーザ端末１−ｊのＷｅｂブラウザは、受信した店舗ページのＵＲＬに示されるリダイレクト先（Ｗｅｂサーバ）へアクセスして店舗ページを取得し表示することになる。
【００９３】
或いは、システム制御部３３は、部分領域情報データベース３２３から取得した店舗ＩＤに対応付けられた店舗ページのＵＲＬを、店舗情報データベース３２１から取得し、プロキシサーバとしての機能によりユーザ端末１−ｊの代わりに当該店舗ページのＵＲＬに示されるＷｅｂサーバにアクセスして店舗ページを取得する。そして、システム制御部３３は、当該取得した店舗ページ（店舗に対応する情報の一例）をユーザ端末１−ｊに送信してＷｅｂブラウザに表示させるように構成しても良い。
【００９４】
なお、ステップＳ２５における「店舗に対応する情報のユーザ端末１−ｊへの送信制御」の他の例として、システム制御部３３が、他のサーバ（アプリサーバやメールサーバなど）からユーザ端末１−ｊへ、店舗に対応する情報（店舗ページや店舗の情報を記述する電子メール（ユーザ端末１−ｊのユーザのメールアドレス宛））を送信させるように構成しても良い。
【００９５】
（２．４．部分領域への店舗の割当変更動作）
次に、部分領域への店舗の割当変更動作について説明する。
【００９６】
この部分領域への店舗の割当変更動作に係る割当変更処理は、所定の条件が満たされた場合にシステム制御部３３により開始される。この所定の条件としては、例えば所定時間が経過したこと、或いは部分領域の指定回数が閾値を超えたこと等が挙げられる。
【００９７】
例えば、システム制御部３３は、設定した時刻（又は設定したタイマ）にしたがって所定時間毎（例えば、２４時間毎）に、割当変更処理を開始し、上記ステップＳ９と同様の処理を行う。この場合、前回の部分領域割当処理（又は割当変更処理）から今回の割当変更処理の間に、上述した店舗の募集動作により新たに店舗のＩＤ等が利用希望店舗情報データベース３２４に登録された場合、新たに登録された店舗についても割当て候補とすることができる。
【００９８】
或いは、システム制御部３３は、設定した時刻（又は設定したタイマ）にしたがって所定時間毎（例えば、２４時間毎）に、割当変更処理を開始し、上記指定回数テーブルに登録されている各部分領域の指定回数を比較し、指定回数が高い順にソートして指定回数のランキングを決定する。そして、システム制御部３３は、決定された各部分領域の指定回数（指定回数の順位）に基づいて、当該各店舗を各部分領域に割当てる（前回と同じ部分領域が割当てられる場合もある）。例えば入札額が高い店舗ほど、指定回数が多い部分領域が割当てられる。これにより、例えばサイズが小さくてもユーザにより実際に指定された指定回数が多かった部分領域に、入札額の最も高い店舗が割当てられるように変更することができる。
【００９９】
或いは、システム制御部３３は、上記ステップＳ２４で、指定回数テーブルに登録されている指定回数が１インクリメントされた場合に、当該指定回数が閾値（例えば、５０回）を超えたか否かを判定し、閾値を超えた場合に、割当変更処理を開始する。この割当変更処理では、システム制御部３３は、指定回数が閾値を超えた部分領域（例えば、図５（Ａ）に示す部分領域Ａ）に割当てられている店舗と、別の部分領域（例えば、指定回数が閾値を超えた部分領域以外で最も高い利用料金が設定された部分領域Ｂ）に割当てられている店舗と互いに交換することにより割当変更を行う。これにより、指定回数の面で未だ閾値に達していない部分領域に割当てられている店舗に対して、指定されやすい部分領域を割当てることができる。
【０１００】
以上説明したように、上記実施形態によれば、一つの広告表示領域を複数の店舗（広告主）で共用する場合であっても、広告表示領域に表示される広告コンテンツを短い時間で切り換えることなく、一つの広告表示領域に含まれる部分領域毎に異なる店舗（広告主）を割当てることができる。したがって、各店舗に割当てられた部分領域が閲覧者により指定される確率を高め、各店舗に対応する情報を効率良く表示させることができる。
【０１０１】
また、支払う広告料が少ない店舗であっても、当該店舗に割当てられた部分領域は継続して表示されているので、当該部分領域が閲覧者により指定される可能性を高めることができる。しかも、広告表示対象となる商品に対する各店舗が支払う利用料金（広告料）に応じて割当てられる部分領域のサイズや配分率等が決定されるので、高い利用料金を支払う店舗に割当てられる部分領域が指定される確率を高めることができる。よって、各店舗にリーズナブルな広告表示領域を提供することができる。
【符号の説明】
【０１０２】
１−ｊ  ユーザ端末
２−ｋ  Ｗｅｂサイト
３  情報提供サーバ
３１  通信部
３２  記憶部
３３  システム制御部
３２１  店舗情報データベース
３２２  投稿情報データベース
３２３  部分領域情報データベース
３２４  利用希望店舗情報データベース
ＮＷ  ネットワーク
Ｓ  情報提供システム
【図１】
0005618404.tif 000002
【図２】
0005618404.tif 000003
【図３】
0005618404.tif 000004
【図４】
0005618404.tif 000005
【図５】
0005618404.tif 000006
【図６】
0005618404.tif 000007
【図７】
0005618404.tif 000008
【図８】
0005618404.tif 000009